(57)【特許請求の範囲】
【請求項１】
外壁材と内部中空の壁体を構成する外壁下地材との間に通気層が設けられ、前記通気層と外部と連結する換気口において換気を行う外壁通気構造体であって、
前記外壁下地材の開口に設けられ、前記壁体の内部と前記通気層との間の通気を可能とする通気部材と、
前記外壁下地材の外面下方から前記通気部材が設けられる位置にかけて張設される防水シートとを備え、
前記通気部材は、
前記壁体の内部側に設けられ、垂直方向の断面視において、上方端辺部、中央辺部及び下方端辺部からなるコの字形状を有する第１部材と、
前記通気層側に設けられ、垂直方向の断面視において、上方端辺部、中央辺部及び下方端辺部からなる逆コの字形状を有し、前記逆コの字形状の上下のサイズが前記第１部材の前記コの字形状よりも一回り小さい第２部材とを備え、
前記第１部材の前記中央辺部において第１の通気口が設けられ、
前記第２部材の前記中央辺部において第２の通気口が設けられ、
前記第１部材の両端辺部と、前記第２部材の両端辺部とが対向した状態で、前記第１部材に前記第２部材が嵌め込まれることで組み立てられ、
前記防水シートは、その上方部分が、前記第１部材の前記下方端辺部と、前記第２部材の前記下方端辺部との間に挟み込まれる、外壁通気構造体。
【請求項２】
前記第１部材の前記第１の通気口は、前記第２部材の前記第２の通気口よりも高い位置に設けられる、請求項１記載の外壁通気構造体。
【請求項３】
前記第１部材の両端辺部の端部には、前記コの字形状の内側に折り返された第１折り返し部が設けられており、
前記第２部材の両端辺部の端部には、前記逆コの字形状の外側に折り返された第２折り返し部が設けられている、請求項１又は２記載の外壁通気構造体。
【請求項４】
前記第２部材の両端辺部の前記中央辺部に対する第１角度は略直角であり、
前記第１部材の両端辺部の前記中央辺部に対する第２角度は、前記第１角度よりも小さい、請求項１から３のいずれかに記載の外壁通気構造体。
【請求項５】
前記防水シートは、前記防水シートの前記上方部分の端部が、少なくとも前記第２部材の前記下方端辺部の上面レベルより上の位置まで延びるような寸法に設定されている、請求項１から４のいずれかに記載の外壁通気構造体。
【請求項６】
請求項１から５のいずれかに記載の外壁通気構造体を有し、
前記外壁材及び前記外壁下地材の上方を覆うように笠木が設置され、前記外壁材の上方であって前記笠木の下方において前記換気口が設けられる、笠木下通気構造体。
【請求項７】
外壁材と内部中空の壁体を構成する外壁下地材との間に通気層が設けられ、前記通気層と外部とを連結する換気口において換気を行う外壁通気構造体の施工方法であって、
垂直方向の断面視において、上方端辺部、中央辺部及び下方端辺部からなるコの字形状を有し、前記中央辺部において第１の通気口が設けられた第１部材を、前記外壁下地材の開口に取り付ける工程と、
防水シートを、前記外壁下地材の外面下方から前記第１部材の取り付け位置まで張設すると共に、前記第１部材の下方端辺部の上面に沿って折り返す工程と、
垂直方向の断面視において、上方端辺部、中央辺部及び下方端辺部からなる逆コの字形状を有し、前記中央辺部において第２の通気口が設けられ、前記逆コの字形状の上下のサイズが前記第１部材の前記コの字形状よりも一回り小さい第２部材を、前記第１部材の両端辺部と、前記第２部材の両端辺部とが対向した状態で、前記第１部材に嵌め込み、前記防水シートの上方部分を、前記第１部材の前記下方端辺部と、前記第２部材の前記下方端辺部との間に挟み込む工程とを含む、外壁通気構造体の施工方法。
【発明の詳細な説明】
【技術分野】
【０００１】
この発明は外壁通気構造体、笠木下通気構造体及び外壁通気構造体の施工方法に関し、特に、建物の外壁部等において建物の内部と外部との間の自然換気を図るために、外壁部分に設けられる外壁通気構造体及び笠木下通気構造体、並びに外壁通気構造体の施工方法に関するものである。
【背景技術】
【０００２】
従来、パラペット、ベランダの手摺りの笠木下において換気を行う笠木下通気構造体が知られている。
【０００３】
例えば、特許文献１では、合板等の板材を組んで形成した壁体の両側に、適宜間隔の通気層を設けてサイディングを取り付け、サイディングの上面から外側面上部にかけて、通気部材を配置し、壁体の上面から通気部材を覆うように笠木を設置した防水構造が開示されている（特許文献１の図１等参照）。
【０００４】
壁体の内部は、中空となっており、上記板材の上部部分は開口されて、壁体内部を通って上昇してくる空気の流出孔が形成される。
【０００５】
又、上記流出孔には、中空の通気空間を有していて、両側面に互いに連通し合う通気口が形成されている防水ユニットが設置される。これにより、壁体内部から通気層を介して外部にかけての換気構造を形成している。
【先行技術文献】
【特許文献】
【０００６】
【特許文献１】特開２０１２−１１７２０８号公報
【発明の概要】
【発明が解決しようとする課題】
【０００７】
しかしながら、特許文献１では、防水構造の構築に際して、壁体外側面の下方から上方に向けて張設した防水シートの上部が、流出孔内に折入れられてから、その後流出孔に防水ユニットが嵌め入れられる。このため、防水ユニットの取り付け部分に、防水シートとしての先張りシート等を予め施工しておく必要があった。又、このような課題は笠木下換気構造のみならず建物の外壁の他の箇所で換気を行う場合にも当てはまる。
【０００８】
この発明は、上記のような課題を解決するためになされたもので、通気部材と壁体の側壁の間の防水性を確保しつつ、施工の自由度を向上させる外壁通気構造体、笠木下通気構造体及び外壁通気構造体の施工方法を提供することを目的とする。
【課題を解決するための手段】
【０００９】
上記の目的を達成するために、請求項１記載の発明は、外壁材と内部中空の壁体を構成する外壁下地材との間に通気層が設けられ、通気層と外部と連結する換気口において換気を行う外壁通気構造体であって、外壁下地材の開口に設けられ、壁体の内部と通気層との間の通気を可能とする通気部材と、外壁下地材の外面下方から通気部材が設けられる位置にかけて張設される防水シートとを備え、通気部材は、壁体の内部側に設けられ、垂直方向の断面視において、上方端辺部、中央辺部及び下方端辺部からなるコの字形状を有する第１部材と、通気層側に設けられ、垂直方向の断面視において、上方端辺部、中央辺部及び下方端辺部からなる逆コの字形状を有し、逆コの字形状の上下のサイズが第１部材のコの字形状よりも一回り小さい第２部材とを備え、第１部材の中央辺部において第１の通気口が設けられ、第２部材の中央辺部において第２の通気口が設けられ、第１部材の両端辺部と、第２部材の両端辺部とが対向した状態で、第１部材に第２部材が嵌め込まれることで組み立てられ、防水シートは、その上方部分が、第１部材の下方端辺部と、第２部材の下方端辺部との間に挟み込まれるものである。
【００１０】
このように構成すると、防水シートが、第１部材の下方端辺部と第２部材の下方端辺部とで固定され、通気部材の下方において壁体の側壁との間の防水性を確保した防水構造が得られる。又、第１部材及び第２部材を施工する前に、防水シートを予め先張りしておかなくても済む。
【００１１】
請求項２記載の発明は、請求項１記載の発明の構成において、第１部材の第１の通気口は、第２部材の第２の通気口よりも高い位置に設けられるものである。
【００１２】
このように構成すると、通気層側から外壁下地材内部へ雨滴や湿気が入り込みにくくなる。
【００１３】
請求項３記載の発明は、請求項１又は２記載の発明の構成において、第１部材の両端辺部の端部には、コの字形状の内側に折り返された第１折り返し部が設けられており、第２部材の両端辺部の端部には、逆コの字形状の外側に折り返された第２折り返し部が設けられているものである。
【００１４】
このように構成すると、第１部材の第１折り返し部と第２部材の第２折り返し部とが係合し、第１部材及び第２部材が外れにくくなる。
【００１５】
請求項４記載の発明は、請求項１から３のいずれかに記載の発明の構成において、第２部材の両端辺部の中央辺部に対する第１角度は略直角であり、第１部材の両端辺部の中央辺部に対する第２角度は、第１角度よりも小さいものである。
【００１６】
このように構成すると、第１部材及び第２部材を組み立てたとき、第１部材の両端辺部が、第２部材の両端辺部を付勢する。
【００１７】
請求項５記載の発明は、請求項１から４のいずれかに記載の発明の構成において、防水シートは、防水シートの上方部分の端部が、少なくとも第２部材の下方端辺部の上面レベルより上の位置まで延びるような寸法に設定されているものである。
【００１８】
このように構成すると、防水シートが第１部材及び第２部材から外れにくくなり、又、第１部材及び第２部材や、外壁下地材に寸法誤差があってもある程度は許容される。
【００１９】
請求項６記載の発明は、請求項１から５のいずれかに記載の外壁通気構造体を有し、外壁材及び外壁下地材の上方を覆うように笠木が設置され、外壁材の上方であって笠木の下方において換気口が設けられる笠木下通気構造体である。
【００２０】
このように構成すると、笠木下において外壁下地材内部の空気と外気との換気を行うような防水性に優れた笠木下通気構造体が得られる。
【００２１】
請求項７記載の発明は、外壁材と内部中空の壁体を構成する外壁下地材との間に通気層が設けられ、通気層と外部とを連結する換気口において換気を行う外壁通気構造体の施工方法であって、垂直方向の断面視において、上方端辺部、中央辺部及び下方端辺部からなるコの字形状を有し、中央辺部において第１の通気口が設けられた第１部材を、外壁下地材の開口に取り付ける工程と、防水シートを、外壁下地材の外面下方から第１部材の取り付け位置まで張設すると共に、第１部材の下方端辺部の上面に沿って折り返す工程と、垂直方向の断面視において、上方端辺部、中央辺部及び下方端辺部からなる逆コの字形状を有し、中央辺部において第２の通気口が設けられ、逆コの字形状の上下のサイズが第１部材のコの字形状よりも一回り小さい第２部材を、第１部材の両端辺部と、第２部材の両端辺部とが対向した状態で、第１部材に嵌め込み、防水シートの上方部分を、第１部材の下方端辺部と、第２部材の下方端辺部との間に挟み込む工程とを含むものである。
【００２２】
このように構成すると、第１部材及び第２部材を施工する前に、防水シートを予め先張りしておかなくても済む。
【発明の効果】
【００２３】
以上説明したように、請求項１記載の発明は、防水シートが、第１部材の下方端辺部と第２部材の下方端辺部とで固定され、通気部材の下方において壁体の側壁との間の防水性を確保した防水構造が得られるため、第１部材及び第２部材の一部分をうまく活用して防水シートをより確実に固定でき、且つ良好な防水構造が得られる。又、第１部材及び第２部材を施工する前に、防水シートを予め先張りしておかなくても済むため、施工の自由度が向上する。
【００２４】
請求項２記載の発明は、請求項１記載の発明の効果に加えて、通気層側から外壁下地材内部へ雨滴や湿気が入り込みにくくなるため、防水性が更に向上する。
【００２５】
請求項３記載の発明は、請求項１又は２記載の発明の効果に加えて、第１部材及び第２部材が外れにくくなるため、通気部材自体の組み立てが強固なものとなると共に、防水シートの挟み込みが強固なものとなり、堅牢な防水構造が得られる。
【００２６】
請求項４記載の発明は、請求項１から３のいずれかに記載の発明の効果に加えて、第１部材及び第２部材を組み立てたとき、第１部材の両端辺部が、第２部材の両端辺部を付勢するため、通気部材自体の組み立て状態がより強固なものとなると共に、防水シートの挟み込みが更に強固なものとなり、より堅牢な防水構造が得られる。
【００２７】
請求項５記載の発明は、請求項１から４のいずれかに記載の発明の効果に加えて、防水シートが第１部材及び第２部材から外れにくくなり、又、第１部材及び第２部材や、外壁下地材に寸法誤差があってもある程度は許容されるため、防水シートの施工が容易となる。
【００２８】
請求項６記載の発明は、請求項１から５のいずれかに記載の発明の効果に加えて、パラペットやバルコニー手すり等において、換気性及び防水性に優れた笠木下通気構造体を実現することができる。
【００２９】
請求項７記載の発明は、第１部材及び第２部材を施工する前に、防水シートを予め先張りしておかなくても済むため、施工の自由度が向上する。
【図面の簡単な説明】
【００３０】
【図１】この発明の第１の実施の形態による笠木下通気構造体の概略断面図である。
【図２】図１に示した“Ｒ１”部分の拡大図である。
【図３】図１に示した笠木下通気構造体が備える通気部材の外観形状を示す正面図である。
【図４】図３に示した通気部材の外観形状を示す背面図である。
【図５】図３に示した通気部材のＡ−Ａラインの拡大断面図である。
【図６】図３に示した通気部材のＢ−Ｂラインの拡大断面図である。
【図７】図２に示した“Ｒ２”部分の拡大図である。
【図８】図２に示した笠木下通気構造体に通気部材を取り付ける工程の一部を示す工程図である。
【図９】図８に示した工程の続きを示す工程図である。
【図１０】この発明の第２の実施の形態による通気部材の構成を示す断面図であって、図７に対応するものである。
【図１１】この発明の第３の実施の形態による通気部材の構成を示す断面図であって、図５に対応するものである。
【発明を実施するための形態】
【００３１】
図１は、この発明の第１の実施の形態による笠木下通気構造体の断面図であり、図２は、図１に示した“Ｒ１”部分の拡大図である。
【００３２】
これらの図を参照して、笠木下通気構造体１は、内部に中空部１９を有する壁体１８を構成する外壁下地材１３と、外壁下地材１３の外面側において通気層１４を介して設けられる外壁材１６と、外壁材１６及び外壁下地材１３を覆うように設置される笠木部材１１と、外壁材１６の上方であって笠木部材１１の下方において設けられる笠木下換気部材（換気口）１２とを備えるものである。笠木下通気構造体１は、直線Ｌに対し線対称な構成であるため、以下では直線Ｌの左側の構成について説明を行う。
【００３３】
通気層１４は、笠木下通気構造体１の長さ方向に所定間隔（図１の貫通方向）で設けられた胴縁１５によって形成されている。
【００３４】
又、外壁下地材１３の開口１３ａには、壁体１８の中空部１９と通気層１４との間の通気を可能とする、図１の貫通方向に延びる通気部材２０が設けられる。
【００３５】
図２に示すように、通気部材２０は、背面部材（第１部材）３０と正面部材（第２部材）４０とから構成される。
【００３６】
背面部材３０は、壁体１８の中空部１９側に設けられ、壁体１８の中空部１９側の上方に通気口（第１の通気口）３１を有する構成である。
【００３７】
正面部材４０は、通気層１４側に設けられ、通気層１４側の下方に通気口（第２の通気口）４１を有する構成である。
【００３８】
図１に戻り、このような笠木下通気構造体１では、中空部１９から、通気口３１から通気口４１にかけて形成される通気経路Ｐを経て、通気層１４に対する通気が行われる。又、通気経路Ｐを経て通気層１４に流れでた空気は、通気層１４を上昇し、笠木下換気部材１２から、通気経路Ｑを経て外部へと排出される。
【００３９】
又、背面部材３０の通気口３１は、正面部材４０の通気口４１よりも高い位置に設けられている。これにより、通気層１４側から中空部１９側へ雨滴や湿気が入り込みにくくなるため、防水性が向上する。
【００４０】
又、防水シート２１が、壁体１８の天面から、通気口４１の上方にかけて張設される。又、防水シート２２が、外壁下地材１３の外面下方から通気部材２０が設けられる位置にかけて張設される。防水シート２２の張設の仕方については後ほど詳しく説明する。
【００４１】
図３は、図１に示した笠木下通気構造体が備える通気部材の外観形状を示す正面図であり、図４は、図３に示した通気部材２０の外観形状を示す背面図であり、図５は、図３に示した通気部材のＡ−Ａラインの拡大断面図であり、図６は、図３に示した通気部材のＢ−Ｂラインの拡大断面図である。尚、通気部材の正面とは、図１において笠木下通気構造体の外壁下地材の外方から見える面のことであり、通気部材２０は、図３や図４の水平方向（図１の貫通方向に対応）に延びる長尺物である。
【００４２】
これらの図を参照して、通気部材２０の詳細構成について説明する。
【００４３】
まず、背面部材３０は、鋼板等のプレス成形等により成形され、垂直方向の断面視（すなわちＡ−Ａライン又はＢ−Ｂラインの断面視）において、上方端辺部３３、中央辺部３２及び下方端辺部３４からなるコの字形状を有する。通気口３１は、中央辺部３２の上方に所定間隔で複数個設けられる。
【００４４】
背面部材３０の上方端辺部３３及び下方端辺部３４の端部には、それぞれ、上記コの字形状の内側に折り返された上方折返部３５及び下方折返部３６（第１折り返し部）が設けられている。
【００４５】
一方、正面部材４０は、鋼板等のプレス成形等により成形され、垂直方向の断面視において、上方端辺部４３、中央辺部４２及び下方端辺部４４からなる逆コの字形状を有する。又、正面部材４０の逆コの字形状の上下のサイズは、背面部材３０のコの字形状の上下サイズよりも一回り小さく設定されている。通気口４１は、中央辺部４２の下方に所定間隔で複数個設けられる。
【００４６】
正面部材４０の上方端辺部４３及び下方端辺部４４の端部には、それぞれ、上記逆コの字形状の外側に折り返された上方折返部４５及び下方折返部４６（第２折り返し部）が設けられている。
【００４７】
又、通気部材２０は、背面部材３０の両端辺部（３３、３４）と、正面部材４０の両端辺部（４３、４４）とが対向した状態で、背面部材３０に正面部材４０が嵌め込まれることで組み立てられる。これにより背面部材３０と正面部材４０とは、背面部材３０及び正面部材４０の一部が当接状態となる。
【００４８】
図３に示すように、正面部材４０では、中央辺部４２の下方において長さ方向に所定間隔で通気口４１が設けられている。又、同図に示すように背面部材３０では、中央辺部３２の上方において長さ方向に所定間隔で通気口３１が設けられている。
【００４９】
図７は、図２に示した“Ｒ２”部分の拡大図である。
【００５０】
図７を参照して、防水シート２２の挟み込み部分の詳細について説明する。防水シート２２は、外壁下地材１３の外面下方から位置Ｅを介して張設され、位置Ｅから背面部材３０の下方折返部３６及び正面部材４０の下方端辺部４４の間に折り入れられている。又、このように折り入れられた防水シート２２は、背面部材３０の下方折返部３６の端部３６ａ及び正面部材４０の下方折返部４６の端部４６ａの間を通って、Ｆ地点から、正面部材４０の下方折返部４６及び背面部材３０の下方端辺部３４の間に挟み込まれている。更に、防水シート２２は、背面部材３０の下方端辺部３４及び中央辺部３２の接続部分において上方に延び、背面部材３０の中央辺部３２及び正面部材４０の下方端辺部４４の間を抜けて、その上方の位置まで延びている。
【００５１】
このように、防水シート２２の上方部分の端部は、少なくとも正面部材４０の下方端辺部４４の上面レベルＧより上の位置まで延びるような寸法に設定されている。すなわち、防水シート２２の上方部分の端部は、背面部材３０の中央辺部３２、正面部材４０の中央辺部４２、上方端辺部４３、及び下方端辺部４４に囲われるように構成される空間Ｈまで延びる寸法に設定されている。空間Ｈでは、背面部材３０の通気口３１から正面部材４０の通気口４１にかけて通気経路Ｐが形成される（図２等も参照）。尚、このように防水シート２２の寸法を設定することの効果については後述する。
【００５２】
又、防水シート２２が、正面部材４０の下方端辺部４４と背面部材３０の下方端辺部３４とで固定され、通気部材２０の下方において壁体１８の外壁下地材１３との間の防水性を確保した防水構造が得られるため、背面部材３０及び正面部材４０の一部分をうまく活用して防水シートをより確実に固定でき、且つ良好な防水構造が得られる。
【００５３】
より具体的には、上記構成による防水構造では、仮に水分が位置Ｅから背面部材３０の下方折返部３６及び正面部材４０の下方端辺部４４の間に侵入したとしても、正面部材４０の下方折返部４６の端部４６ａ付近か、背面部材３０の下方端辺部３４及び中央辺部３２の接続部分付近に留まるようなものとなっている。又、上記構成では、万が一、侵入した水分が正面部材４０の下方端辺部４４の上面レベルＧより上の位置まで到達したとしても、通気口４１へと放出される防水構造となっている。
【００５４】
又、上述のとおり、背面部材３０の上方端辺部３３及び下方端辺部３４の端部には、それぞれ、上記コの字形状の内側に折り返された上方折返部３５及び下方折返部３６が設けられており、正面部材４０の上方端辺部４３及び下方端辺部４４の端部には、それぞれ、上記逆コの字形状の外側に折り返された上方折返部４５及び下方折返部４６が設けられた構成である。これにより、背面部材３０及び正面部材４０が外れにくくなるため、通気部材２０自体の組み立て状態が強固なものとなると共に、防水シート２２の挟み込みが強固なものとなり、堅牢な防水構造が得られる。
【００５５】
又、このような笠木下通気構造体１によれば、パラペットやバルコニー手すり等において、換気性及び防水性に優れた通気構造体を実現することができる。
【００５６】
図８は、図２に示した笠木下通気構造体に通気部材を取り付ける工程の一部を示す工程図であり、図９は、図８に示した工程の続きを示す工程図である。
【００５７】
これらの図を参照して、まず、図８の（１）に示すように、外壁下地材１３に背面部材３０に対応する開口１３ａを形成し、背面部材３０を開口１３ａにはめ込む。そして、背面部材３０を中空部１９側に設けられた間柱材３８に釘打ちして、背面部材３０を外壁下地材１３の開口１３ａにおいて取り付ける。
【００５８】
続いて、図８の（２）に示すように、防水シート２２を外壁下地材の外面下方から前背面部材３０が設けられる位置にかけて張設し、その位置から下方端辺部３４側に防水シート２２を折り入れる。次に、背面部材３０の両端辺部（３３、３４）と、正面部材４０の両端辺部（４３、４４）とを対向させた状態で、矢印Ｘ方向に正面部材４０を背面部材３０に対して進行させる。
【００５９】
尚、正面部材４０の両端辺部（４３、４４）の中央辺部４２に対する第１角度αは略直角であり、背面部材の両端辺部（３３、３４）の中央辺部３２に対する第２角度βは、第１角度αよりも小さく設定している。これにより背面部材３０及び正面部材４０を組み立てたとき、背面部材３０の両端辺部（３３、３４）が、正面部材４０の両端辺部（４３、４４）を付勢するため、通気部材２０自体の組み立て状態が強固なものとなると共に、防水シート２２の挟み込みが強固なものとなり、より堅牢な防水構造が得られる。
【００６０】
続いて、図９の（３）に示すように、正面部材４０及び背面部材３０のコの字形状の端辺部同士が当接した状態において、更に正面部材４０をＸ方向に押し込むと、Ｙ方向に正面部材４０の両端辺部（４３、４４）が撓み、その結果、図９の（４）に示すように、正面部材４０が背面部材３０と嵌合する。又、これにより防水シート２２の上方部分は、背面部材３０の下方端辺部３４と、正面部材４０の下方端辺部４４との間に挟み込まれる。
【００６１】
このような施工方法によれば、背面部材３０及び正面部材４０を施工する前に、防水シート２２を予め通気部材２０の背面側に先張りしておかなくても済むため、施工の自由度が向上する。
【００６２】
又、防水シート２２の上方部分の端部は、少なくとも正面部材４０の下方端辺部４４の上面レベルＧより上の位置まで延びるような寸法に設定されている。このため、防水シート２２が背面部材３０及び正面部材４０から外れにくくなり、又、背面部材３０及び正面部材４０や、外壁下地材１３に寸法誤差があってもある程度は許容されるため、防水シート２２の施工が容易となる。
【００６３】
図１０は、この発明の第２の実施の形態による通気部材の構成を示す断面図であって、図７に対応するものである。
【００６４】
尚、説明に当たっては、基本的には第１の実施の形態によるものと同一であるため、その相違点を中心に説明する。
【００６５】
図１０を参照して、この実施の形態による通気部材２０にあっては、背面部材３０の下方折返部３６及び正面部材４０の下方折返部４６の形状が異なっている。
【００６６】
具体的には、背面部材３０の下方折返部３６は、下方端辺部３４の長さの半分よりも長く、又、正面部材４０の下方折返部４６は、下方端辺部４４の長さの半分よりも長く設定されている。これにより、背面部材３０の下方折返部３６は、正面部材４０の下方折返部４６と当接するような長さに設定されている。
【００６７】
又、正面部材４０の下方折返部４６は、コの字形状の内側に折り曲げられており、下方端辺部４４側に傾斜している。又、背面部材３０の下方折返部３６は、コの字形状の外側に折り曲げられており、下方端辺部３４側に傾斜している。
【００６８】
このように構成すると、正面部材４０の下方折返部４６及び背面部材３０の下方折返部３６によって防水シート２２の案内経路Ｊが形成される。案内経路Ｊでは、防水シート２２が背面部材３０の下方折返部３６及び正面部材４０の下方折返部４６によって抑え込まれた状態となるため、これにより防水シート２２の抜けが防止される。
【００６９】
図１１は、この発明の第３の実施の形態による通気部材の構成を示す断面図であって、図５に対応するものである。
【００７０】
尚、説明に当たっては、基本的には第１の実施の形態によるものと同一であるため、その相違点を中心に説明する。
【００７１】
図１１を参照して、この実施の形態による通気部材２０にあっては、背面部材３０の中央辺部３２の下方であって、通気部材２０の組み立て時に正面部材４０の下方端辺部４４と当接するような位置において凸条３９が設けられる。
【００７２】
このように構成すると、空間Ｈまで延びる防水シート２２を、正面部材４０の下方端辺部４４と背面部材３０の凸条３９とで挟み込むことができ、防水シート２２の固定が安定する。
【００７３】
尚、上記の各実施の形態では、笠木下通気構造体の実施例について示したが、これに限られない。外壁材と内部中空の壁体を構成する外壁下地材との間に通気層が設けられ、通気層と外部と連結する換気口において換気を行う任意の外壁通気構造体に適用することができる。例えば、軒先や、棟、ケラバにおいて換気を行う換気構造体にも好ましく適用可能である。
【００７４】
又、上記の各実施の形態では、背面部材３０の通気口３１及び正面部材４０の通気口４１は、それぞれ、特定の間隔で設けられ、特定の形状を有していたが、これに限られない。背面部材３０の通気口３１及び正面部材４０の通気口４１は、より長い又は短い間隔で設けられていてもよいし、単数でもよい。又、背面部材３０の通気口３１及び正面部材４０の通気口４１の形状は、上下方向に延びる長方形形状でなくてもよく、水平方向に延びる長方形形状や丸型等別の形状を有していても構わない。
【００７５】
更に、上記の各実施の形態では、背面部材３０の通気口３１は、正面部材４０の通気口４１よりも高い位置に設けられる構成であったが、これに限られず任意の位置に設けることができる。例えば、背面部材３０の通気口３１及び正面部材４０の通気口４１が、上記と逆の位置関係であっても構わない。
【００７６】
更に、上記の各実施の形態では、背面部材３０の両端辺部（３３、３４）の端部には、折返部（３５、３６）が設けられており、正面部材４０の両端辺部（４３、４４）の端部には、折返部（４５、４６）が設けられている構成であったが、このような折返部は省略することも可能である。
【００７７】
更に、上記の各実施の形態では、正面部材４０の両端辺部（４３、４４）の中央辺部４２に対する第１角度αは略直角であり、背面部材３０の両端辺部（３３、３４）の中央辺部３２に対する第２角度βは、第１角度αよりも小さく設定していたが、これに限られない。第１角度α及び第２角度βは、背面部材３０及び正面部材４０を嵌合させることができる範囲で、任意に設定することができる。例えば、上記の各実施の形態とは逆に、第２角度βを略直角に設定し、第１角度αを第２角度βよりも小さく設定することも可能である。
【００７８】
更に、上記の各実施の形態では、防水シート２２の上端の端部は、少なくとも背面部材３０及び正面部材４０により構成される空間Ｈまで延びるような寸法に設定されていたが、これに限られない。例えば、防水シート２２は、背面部材３０及び正面部材４０の各々の一部に挟み込める寸法であればよく、例えば、図７のＦ地点まで延びるような寸法に設定されていてもよい。
【００７９】
更に、上記の各実施の形態では、特に説明しなかったが、背面部材３０及び正面部材４０は、互いに異なる色により着色されていてもよい。例えば、背面部材３０を白色に塗装し、正面部材４０を黒色に塗装しておいてもよい。これにより、取り付け時に背面部材３０及び正面部材４０を取り間違えることを防ぐことができる。
【００８０】
更に、上記の第２の実施の形態では、背面部材３０の下方折返部３６は、下方端辺部３４の長さの半分よりも長く、又、正面部材４０の下方折返部４６は、下方端辺部４４の長さの半分よりも長く設定されていたが、これに限られない。背面部材３０の下方折返部３６は、正面部材４０の下方折返部４６と当接し、案内経路を形成するような長さに設定されていればよい。
【符号の説明】
【００８１】
１…笠木下通気構造体
１１…笠木部材
１３…外壁下地材
１３ａ…開口
１４…通気層
１５…胴縁
１６…外壁材
１８…壁体
１９…中空部
２０…通気部材
２１…防水シート
２２…防水シート
３０…背面部材
３１…通気口
３２…中央辺部
３３…上方端辺部
３４…下方端辺部
３５…上方折返部
３６…下方折返部
４０…正面部材
４１…通気口
４２…中央辺部
４３…上方端辺部
４４…下方端辺部
４５…上方折返部
４６…下方折返部
尚、各図中同一符号は同一又は相当部分を示す。
【要約】
【課題】通気部材と壁体の側壁の間の防水性を確保しつつ、施工の自由度を向上させる外壁通気構造体、笠木下通気構造体及び外壁通気構造体の施工方法を提供する。
【解決手段】笠木下通気構造体において、外壁下地材１３の開口１３ａに設けられ、壁体の中空部１９と通気層１４との間の通気を可能とする通気部材２０と、外壁下地材１３の外面下方から通気部材２０が設けられる位置にかけて張設される防水シート２２とを備える。通気部材２０は、中空部１９側に設けられ、垂直方向の断面視においてコの字形状を有する背面部材３０と、通気層１４側に設けられ、垂直方向の断面視において逆コの字形状を有し、背面部材３０のコの字形状よりも一回り小さい正面部材４０とを備える。又、背面部材３０に正面部材４０が嵌め込まれ、防水シート２２の上方部分が、背面部材３０の下方端辺部３４と、正面部材４０の下方端辺部４４との間に挟み込まれる。
【選択図】  図２【図１】
0005697791.tif 000002
【図２】
0005697791.tif 000003
【図３】
0005697791.tif 000004
【図４】
0005697791.tif 000005
【図５】
0005697791.tif 000006
【図６】
0005697791.tif 000007
【図７】
0005697791.tif 000008
【図８】
0005697791.tif 000009
【図９】
0005697791.tif 000010
【図１０】
0005697791.tif 000011
【図１１】
0005697791.tif 000012